(57)【要約】【課題】  商品サンプルが配置された位置に拘らず、商品をユーザにアピールすることができる自動販売機の商品サンプル展示装置を提供する。【解決手段】  商品サンプル展示台１２と、その後方に設けられ、寸法が互いに異なる第１および第２取付け孔５ａ，５ｄを有する背板５と、を備え、展示台１２は、商品サンプルＳが載置される載置面１７ａと、後方に突出し、第１または第２取付け孔５ａ，５ｄに係合することにより展示台１２を背板５に取り付けるためのフック部２２と、それよりも下方に設けられ、背板５の前面に当接する当接部１６ａと、を有し、フック部２２は、これが第１または第２取付け孔５ａ，５ｄに係合したときに、背板５の後面に当接することにより、載置面１７ａが、それぞれほぼ水平な状態または前後方向に傾斜した状態で、展示台１２を支持する第１，第２支持部２２ｂ，２２ｃを有している。【選択図】  図３
2005228266.tif 000002
【特許請求の範囲】
【請求項１】
自動販売機に設けられ、販売する商品の商品サンプルを展示する自動販売機の商品サンプル展示装置であって、
前記商品サンプルを展示するための商品サンプル展示台と、
当該商品サンプル展示台の後方に設けられ、寸法が互いに異なる第１および第２取付け孔を有する背板と、を備え、
前記商品サンプル展示台は、
前記商品サンプルが載置される商品サンプル載置面と、
後方に突出し、前記第１または第２取付け孔に係合することによって前記商品サンプル展示台を前記背板に取り付けるためのフック部と、
当該フック部よりも下方に設けられ、前記フック部が前記第１または第２取付け孔に係合した状態で、前記背板の前面に当接する当接部と、を有し、
前記フック部は、互いに前後方向に並ぶように配置され、
前記フック部が前記第１取付け孔に係合したときに、前記背板の後面に当接することにより、前記商品サンプル載置面が、ほぼ水平な状態で前記商品サンプル展示台を支持する第１支持部と、
前記フック部が前記第２取付け孔に係合したときに、前記背板の後面に当接することにより、前記商品サンプル載置面が、前後方向に傾斜した状態で前記商品サンプル展示台を支持する第２支持部と、
を有していることを特徴とする自動販売機の商品サンプル展示装置。
【請求項２】
前記商品サンプル展示台は、左右方向に並ぶように配置された複数の前記商品サンプル展示台によって構成され、
当該複数の商品サンプル展示台は、それぞれ、
一方の側部から突出する連結部と、
他方の側部に設けられ、前記連結部と相補的な形状を有する連結受け部と、をさらに有し、
隣接する２つの前記商品サンプル展示台は、一方の前記連結部が、他方の前記連結受け部と係合する状態で、互いに連結されていることを特徴とする請求項１に記載の自動販売機の商品サンプル展示装置。
【発明の詳細な説明】
【技術分野】
【０００１】
本発明は、自動販売機に設けられ、販売する商品の商品サンプルを展示する自動販売機の商品サンプル展示装置に関する。
【背景技術】
【０００２】
従来の自動販売機の商品サンプル展示装置として、例えば特許文献１に開示されたものが知られている。この展示装置は、自動販売機の外扉に設けられており、そのディスプレイ室内に、販売する商品の商品サンプルを載置する複数の商品展示台が、上下方向に並ぶように設けられている。最下段の商品展示台には、左右の両端部に後方から段付きねじがねじ込まれており、この段付きねじのねじ頭が、後方の背面扉に固定された一対の展示台取付け金具にそれぞれ係合することによって、商品展示台が背面扉に取り付けられている。
【０００３】
展示台取付け金具には、上下方向に延びるスライド調節溝が形成されており、この調節溝には、上端部の上段設定位置、中央の中段設定位置、および下端部の下段設定位置に、商品展示台を係止するための係止部がそれぞれ設けられている。段付きねじは、このスライド調節溝に係合しており、商品展示台を上下にスライドさせ、段付きねじを、いずれの係止部に係合させるかによって、商品展示台の高さ位置を調節することができる。それにより、載置する商品サンプルの高さに応じて、商品展示台の高さ位置を調節することによって、商品サンプルが上方の商品展示台に干渉することなく、互いに高さの異なる複数の種類の商品サンプルを展示することができる。
【０００４】
しかし、この従来の展示装置には、以下のような問題がある。すなわち、ユーザが商品を購入するために自動販売機に向かい合ったとき、ユーザは、最下段の商品展示台に展示された商品サンプルを、斜め上方から見下ろす状態になる。特に、最下段の商品展示台を、下段設定位置に設定した場合、見下ろす度合いが大きくなり、ユーザが商品サンプルを認識し難くなってしまう。したがって、ユーザの視線と正対する位置に配置された商品サンプルと比較して、最下段の商品サンプルでは、それが示す商品をユーザにアピールし難く、商品の販売の促進につながらないおそれがある。
【０００５】
本発明は、このような課題を解決するためになされたものであり、商品サンプルが配置された位置に拘らず、商品をユーザにアピールすることができる自動販売機の商品サンプル展示装置を提供することを目的としている。
【０００６】
【特許文献１】特開平１１−１６０３５号公報  （第３，４頁、第６，７，９図）
【発明の開示】
【課題を解決するための手段】
【０００７】
この目的を達成するために、本発明の請求項１に係る発明は、自動販売機に設けられ、販売する商品の商品サンプルを展示する自動販売機の商品サンプル展示装置であって、商品サンプルを展示するための商品サンプル展示台と、商品サンプル展示台の後方に設けられ、寸法が互いに異なる第１および第２取付け孔を有する背板と、を備え、商品サンプル展示台は、商品サンプルが載置される商品サンプル載置面と、後方に突出し、第１または第２取付け孔に係合することによって商品サンプル展示台を背板に取り付けるためのフック部と、フック部よりも下方に設けられ、フック部が第１または第２取付け孔に係合した状態で、背板の前面に当接する当接部と、を有し、フック部は、互いに前後方向に並ぶように配置され、フック部が第１取付け孔に係合したときに、背板の後面に当接することにより、商品サンプル載置面が、ほぼ水平な状態で商品サンプル展示台を支持する第１支持部と、フック部が第２取付け孔に係合したときに、背板の後面に当接することにより、商品サンプル載置面が、前後方向に傾斜した状態で商品サンプル展示台を支持する第２支持部と、を有していることを特徴とする。
【０００８】
この自動販売機の商品サンプル展示装置によれば、商品サンプル展示台は、後方に突出するフック部、およびこれよりも下方の当接部を介して、商品サンプル展示台の後方に設けられた背板に取り付けられている。具体的には、背板には、商品サンプル展示台を取り付けるための、互いに寸法の異なる第１および第２取付け孔が形成されており、これらの取付け孔の一方にフック部が挿入されている。そして、フック部が、第１取付け孔に挿入されている場合は第１支持部が、第２取付け孔に挿入されている場合は第２支持部が、背板の後面に当接するとともに、当接部が背板の前面に当接することにより、フック部が背板に引っ掛かった状態で、商品サンプル展示台が取り付けられている。また、展示台の商品サンプルが載置される載置面が、第１支持部を当接させたときにはほぼ水平な状態に、第２支持部を当接させたときには前後に傾斜した状態になる。
【０００９】
したがって、ユーザが商品を購入するために自動販売機に向かい合ったときに、ユーザの目の高さとほぼ同じ高さに配置される商品サンプルについては載置面がほぼ水平に、ユーザの目の高さよりも上方および下方に配置される商品サンプルについては載置面が、それぞれユーザに向かって下方および上方に傾斜するように、商品サンプル展示台を背板に取り付けることにより、商品サンプルを、その正面がユーザの視線と正対するように展示することができる。これにより、商品サンプルが配置された高さに拘らず、商品をユーザにアピールすることができる。
【００１０】
また、商品サンプル展示台を、載置面を傾斜させて取り付けた場合、商品サンプルもまた前後に傾斜するので、商品サンプルを含めた上下方向の長さが短縮される。したがって、例えば商品サンプル展示台を上下方向に並ぶように配置する場合、これに必要な上下方向の長さもまた短縮されるので、より多くの商品サンプル展示台を配置でき、より多くの商品サンプルを展示することができる。また、背板の取付け孔の寸法を変更するだけで、共通の商品サンプル展示台を用いて、商品サンプルの展示角度を変更することができる。
【００１１】
請求項２に係る発明は、請求項１に記載の自動販売機の商品サンプル展示装置において、商品サンプル展示台は、左右方向に並ぶように配置された複数の商品サンプル展示台によって構成され、複数の商品サンプル展示台は、それぞれ、一方の側部から突出する連結部と、他方の側部に設けられ、連結部と相補的な形状を有する連結受け部と、をさらに有し、隣接する２つの商品サンプル展示台は、一方の連結部が、他方の連結受け部と係合する状態で、互いに連結されていることを特徴とする。
【００１２】
この自動販売機の商品サンプル展示装置によれば、複数の商品サンプル展示台は、商品サンプル展示台の一方の側部から突出する連結部が、隣接する商品サンプル展示台の他方の側部の連結受け部に係合した状態で、左右方向に並んでいる。連結受け部は、連結部と相補的な形状を有していることにより、両者を係合させるだけで、隣接する商品サンプル展示台同士を、互いに位置決めされた状態で容易に連結することができる。また、商品サンプル展示台同士を連結するだけで、これらにそれぞれ展示された商品サンプル同士もまた、互いに位置決めされる。したがって、互いに正確な位置に配置された商品サンプルによって商品をアピールすることができる。また、商品サンプル展示台および商品サンプルの取り付け作業を容易に行うことができるので、展示装置のメンテナンス性を向上させることができる。
【図面の簡単な説明】
【００１３】
【図１】本発明による自動販売機の商品サンプル展示装置を含むタバコの自動販売機を示す正面図である。
【図２】図１の展示装置の商品サンプル展示台を示す斜視図である。
【図３】図２の線Ａ−Ａに沿う商品サンプル展示台の断面図である。
【図４】図２の商品サンプル展示台を、その商品サンプル載置面がほぼ水平な状態で、背板に取り付けるための取付け孔を示す図である。
【図５】図４の取付け孔を用い、図２の商品サンプル展示台を背板に取り付けた状態を、商品サンプルとともに示す側面図である。
【図６】図５の商品サンプル展示台のフック部付近を示す部分拡大図である。
【図７】図２の商品サンプル展示台を、その商品サンプル載置面が傾斜した状態で、背板に取り付けるための取り付け孔を示す図である。
【図８】図７の取付け孔を用い、図２の商品サンプル展示台を背板に取り付けた状態を、商品サンプルとともに示す側面図である。
【図９】図８の商品サンプル展示台のフック部付近を示す部分拡大図である。
【図１０】図１の展示装置の照明装置を示す斜視図であり、（ａ）基板および基板取付け台が互いに分離した状態、および（ｂ）基板を基板取付け台に取り付けた状態を、それぞれ示す。
【発明を実施するための最良の形態】
【００１４】
以下、図面を参照しながら、本発明の好ましい実施形態を詳細に説明する。図１は、本発明を適用した商品サンプル展示装置（以下、単に「展示装置」という）１０を含むタバコの自動販売機１を示している。この自動販売機１は、前面が開口した縦長ボックス状の販売機本体２、および販売機本体２の前面を開閉するメインドア３を備えている。メインドア３の下部には、ユーザが商品であるタバコを取り出すための商品取出し部４が設けられている。また、この自動販売機１のメインドア３には、通常のタバコの自動販売機と同様に、商品選択ボタン３ａ、金銭投入口３ｂ，３ｃおよびつり銭返却口３ｄなどが設けられている。
【００１５】
展示装置１０は、メインドア３に設けられている。この展示装置１０は、ディスプレイ１１、およびその内部に設けられた複数の商品サンプル展示台（以下、単に「展示台」という）１２、および展示台１２を取り付けるための背板５などを備えている。ディスプレイ１１は、メインドア３の上部から中央にわたって設けられており、ユーザが自動販売機１に正対したときに、商品の選択ができるように、内部の展示台１２に展示された商品サンプルＳなどが見えるようになっている。
【００１６】
ディスプレイ１１内には、上下方向に４段の展示台１２が並んでいる。上側の３段には、それぞれ２つの展示台１２が左右方向に並ぶように設けられており、最下段には、１つの展示台１２が設けられている。図２および３に示すように、各展示台１２は、例えば５つの商品サンプルＳを展示するためのものであり、全体として左右方向に延びており、展示台本体１３、および照明装置１５などを備えている。展示台本体１３は、例えば無色透明の合成樹脂の成形品によって一体に構成されており、基部１６、この基部１６から前方に突出する商品サンプル設置部１７、およびこの商品サンプル設置部１７の前端に設けられた複数の前板取付け部１９を有している。商品サンプル設置部１７の上面は、平らな商品サンプル載置面（以下、単に「載置面」という）１７ａになっており、この載置面１７ａ上に左右方向に等間隔に設けられた４つの仕切り板１７ｂによって、商品サンプル設置部１７が５つの部分に区画されている。これにより、区画された各部分に１つの商品サンプルＳが載置される。
【００１７】
前板取付け部１９は、商品サンプルＳごとに設けられており、その前後方向の中央には、前板１８を取り付けるための溝１９ａが左右方向に連続して延びている。前板１８もまた、無色透明の合成樹脂によって構成されており、その後面には、梨地仕上げが施されていて、それにより微細な凹凸が形成されている。この前板１８は、その下端部が溝１９ａに挿入されることにより、前板取付け部１９に着脱自在に取り付けられている。溝１９ａは、基部１６から、商品サンプルＳの奥行きとほぼ同じ間隔を存する位置に形成されていて、それにより、商品サンプルＳは、基部１６と前板１８の間にほとんど隙間なく設置される。
【００１８】
また、前板取付け部１９の前端部には、左右２つのホルダ２１，２１が設けられている。前板１８が取り付けられた状態では、この前板１８とホルダ２１，２１の間に間隙が形成されており、この間隙に、商品情報表示板２０ａおよびカラーフィルム２０ｂが、前板１８に重ねて貼り付けられた状態で挿入される。カラーフィルム２０ｂは、前板１８とほぼ同じ形状を有しており、例えば透明かつ有色の合成樹脂によって構成されている。また、商品情報表示板２０ａは、カラーフィルム２０ｂよりも高さが低く、その前面には、この商品情報表示板２０ａの後ろ側の商品サンプルＳに対応する商品の商品情報として、例えば値段や販売促進のための宣伝文などが表示されている。
【００１９】
展示台本体１３の左端部および右端部には、隣接する展示台１２，１２を互いに連結するための連結部２５および連結受け部２６がそれぞれ設けられている。連結部２５は、展示台本体１３の左端から側方に突出しており、ほぼ板状に形成されている。また、その後部はほぼ水平に、前部は下方に傾斜するように、それぞれ延びており、それにより、全体として鈍角に屈曲した断面形状を有している。連結受け部２６は、連結部２５と相補的な断面形状を有している。以上の構成により、隣接する２つの展示台１２，１２を、左側の展示台１２の連結受け部２６が右側の展示台１２の連結部２５に重なるように載置することにより、両展示台１２，１２は、両者２５，２６を介して互いに隙間なく当接する。これにより、展示台１２，１２を、互いに位置決めされ、段差のない状態で容易に並ベることができる。
【００２０】
また、基部１６の後端には、複数のフック部２２が設けられている。このフック部２２は、基部１６の後壁１６ａ（当接部）の上端部から後方に突出するとともに上方に屈曲しており、基部１６の左右の両端部に２つずつ、左右方向に並ぶように設けられている。各フック部２２の後端部からは、左右方向に延びる板状の第１突起部２２ｂ（第１支持部）が上方に突出しており、この第１突起部２２ｂよりも前方で、且つフック部２２の上端部の左右方向の中央からは、第２突起部２２ｃ（第２支持部）が前方に突出している。
【００２１】
また、基部１６には、後壁１６ａから後方に突出する４つの突起部２２ａが、左右方向に並ぶように設けられている。これらの４つの突起部２２ａのうちの左右両端のものは、基部１６の両端部の各２つのフック部２２，２２の下方にそれぞれ設けられ、平面的にはフック部２２，２２の間の中央にそれぞれ配置されている。また、これらの間に、残りの２つの突起部２２ａ，２２ａが所定の間隔で設けられている。
【００２２】
図４に示すように、背板５には、展示台１２のフック部２２および突起部２２ａにそれぞれ対応するように、複数の取付け孔５ａ（第１取付け孔）および５ｂが形成されている。また、内側の取付け孔５ｂ，５ｂの間には、後述する照明装置１５からのケーブルを接続するための２つのコネクタ５ｃ，５ｃが設けられている。これらの取付け孔５ａ，５ｂおよびコネクタ５ｃは、例えば上側の２段の展示台１２に対応し、展示台１２ごとに設けられている。
【００２３】
図６に示すように、上側の２段の各展示台１２は、フック部２２、突起部２２ａ、および取付け孔５ａ，５ｂを介して、背板５に取り付けられている。この状態では、フック部２２が、背板５の上側の取付け孔５ａに通され、その第１突起部２２ｂの前面が、背板５の後面に当接するとともに、突起部２２ａが下側の取付け孔５ｂに通され、基部１６の後壁１６ａの下端部が背板５の前面に当接しており、すなわち、展示台１２は、フック部２２の第１突起部２２ｂが背板５の後面に引っ掛かった状態で、背板５に取り付けられている。また、この状態では、載置面１７ａは、ほぼ水平な状態になっており、それにより、商品サンプルＳは、図５に示すように、ほぼ直立した状態で載置される。
【００２４】
また、背板５には、下側の２段の展示台１２に対応し、展示台１２ごとに図７に示すような複数の取付け孔５ｄ（第２取付け孔）および５ｂが形成されている。同図から明らかなように、これらの取付け孔５ｄおよび５ｂは、基本的には、上側の２段の取付け孔５ａ，５ｂと同様のものであり、取付け孔５ｄの高さが、取付け孔５ａよりも低い所定の高さに設定されている点のみが異なっている。また、コネクタ５ｃ，５ｃも、上側の２段のものと同様に設けられている。
【００２５】
図９に示すように、下側の２段の各展示台１２は、フック部２２、突起部２２ａ、および取付け孔５ｄ，５ｂを介して、背板５に取り付けられている。この状態では、フック部２２が、背板５の上側の取付け孔５ｄに通され、その際、取付け孔５ｄの高さが、上側２段の取付け孔５ａよりも低く設定されていることにより、第２突起部２２ｃの前端部が、背板５の後面に当接する。これとともに、突起部２２ａが下側の取付け孔５ｂに通され、基部１６の後壁１６ａの後面が、背板５の前面に当接しており、すなわち、展示台１２は、フック部２２の第２突起部２２ｃが背板５の後面に引っ掛かった状態で、背板５に取り付けられている。また、この状態では、載置面１７ａは、背板５から上方に傾斜した状態になっており、それにより、商品サンプルＳは、図８に示すように、後方に傾斜した状態で載置される。
【００２６】
図３に示すように、展示台本体１３の前板１８の後方には、後述する照明装置１５からの光を、前板１８内に導入するための光導入部２３が一体に設けられている。この光導入部２３は、板状のものであり、商品サンプル設置部１７の前端部から下方に突出し、展示台本体１３の左右方向にわたって延びている。この光導入部２３の後面には、前述した前板１８と同様に梨地仕上げが施されており、それにより、全体に微細な凹凸が形成されている。また、後面には、これを覆うようにカラーフィルム２４が、例えば両面テープによって着脱自在に貼り付けられている。このカラーフィルム２４もまた、前述した前板１８のカラーフィルム２０ｂと同様に、透明かつ有色の合成樹脂によって構成されている。
【００２７】
照明装置１５は、展示台本体１３の下方に設けられている。図４に示すように、この照明装置１５は、基板取付け台３５およびこれに着脱自在に取り付けられた基板３６を有している。基板３６は、細長い板状のものであり、基板取付け台３５とともに展示台本体１３に取り付けられ、その状態では、例えば２つの商品サンプルＳにわたるように左右方向に延びている。また、この基板３６の前面には、例えば６つの取付け孔（図示せず）が、左右方向にほぼ等間隔に形成されており、各取付け孔に、発光ダイオード３７が埋め込まれ、基板３６の前面から突出している。これらの発光ダイオード３７は、それぞれ白色光を発光するものであり、また、基板３６の後面には、この基板３６と後述する制御装置を接続するためのコネクタ４０が設けられている。
【００２８】
基板取付け台３５もまた、無色透明の合成樹脂の成形品によって所定の形状に形成されており、左右方向に延びている。基板取付け台３５には、その前壁４１から前方に突出する左右２つの突起３８，３８と、後端部から上方に突出する左右２つの係合部３９，３９が設けられており、これらの突起３８，３８および係合部３９，３９が、展示台本体１３に形成された取付け孔２７および突起２８にそれぞれ係合することにより、照明装置１５は、展示台本体１３に着脱自在に取り付けられている。また、基板取付け台３５の後端部のほぼ中央には、コネクタ４０からのケーブル（図示せず）を束ねるためのフック４３が後方に突出するように設けられている。また、基板３６は、基板取付け台３５の前壁４１と、これよりもやや後方に立設された左右２つのつめ部４２，４２との間に嵌め込まれることにより、基板取付け台３５に着脱自在に取り付けられている。
【００２９】
図３に示すように、照明装置１５が展示台本体１３に取り付けられた状態では、発光ダイオード３７は、前述した光導入部２３の後面に、これに貼り付けられたカラーフィルム２４を介して対向しており、左右の各３つの発光ダイオード３７が、左右の商品サンプルＳの真下の位置に、それぞれ配置されている。また、背板５の後方には、発光ダイオード３７の点滅を制御するための制御装置（図示せず）が設けられている。この制御装置は、例えばマイクロコンピュータなどによって構成され、背板５のコネクタ５ｃに接続されている。照明装置１５は、そのコネクタ４０からのケーブルが、背板５のコネクタ５ｃに接続されることにより、制御装置に接続されている。発光ダイオード３７の点滅は、この制御装置に組み込まれたプログラムに従って制御される。例えば、発光ダイオード３７の点滅は、１つの商品サンプルＳに対応する３つの発光ダイオード３７を１つのグループとして、グループごとに交互に所定の間隔で点滅させたり、販売を促進したい商品の商品サンプルＳに対応する発光ダイオード３７のみを発光させたりするなど、商品の販売者の意図に応じて、適宜、設定される。
【００３０】
次いで、照明装置１５による前板１８の照明について説明する。発光ダイオード３７からの光は、まず、これと対向する光導入部２３に導入される。その際、光導入部２３の後面に貼り付けられたカラーフィルム２４によって、光の色が変化する。さらに、光導入部２３の後面に梨地仕上げが施されていることにより、光は、これに導入される際、その屈折角度が不規則に変化することにより散乱する。光導入部２３内に導入された光の一部は、これを透過することにより、その前方の前板１８に向かって放射され、前板１８内に導入される。前板１８の後面にもまた梨地仕上げが施されていることにより、光は、前板１８に導入される際にも、その屈折角度が不規則に変化することによってさらに散乱する。また、光導入部２３から放射されなかった残りの光のうち、その一部は、光導入部２３と一体の前板取付け部１９や商品サンプル設置部１７などの内部を、外部との境界において反射されながら進行し、残りのものは、外部との境界において、屈折して外部に放射される。このようにして内部を進行した一部の光は、前板１８に到達し、その内部に導かれる。
【００３１】
前板１８内に導かれた光もまた、外部との境界において、その一部が反射されながら内部を進行し、残りのものは屈折して外部に放射される。このような部分的な反射が前板１８の内部において繰り返されることにより、光は、減衰しながら前板１８内部を進行する。このとき、外部に放射された光により、ユーザには、前板１８自体が発光しているように認識される。前板１８から放射される光は、発光ダイオード３７からのものであるので、ユーザによって認識される前板１８の点滅は、前述した制御装置による発光ダイオード３７の点滅に従う。
【００３２】
以上のように、本実施形態の展示装置１０によれば、展示台１２は、後方に突出するフック部２２、およびこれよりも下方の後壁１６ａを介して、展示台１２の後方に設けられた背板５に取り付けられている。具体的には、背板５には、展示台１２を取り付けるための、互いに寸法の異なる第１および第２取付け孔５ａ，５ｄが形成されており、これらの取付け孔５ａ，５ｄにフック部２２が挿入されている。そして、フック部２２が、第１取付け孔５ａに挿入されている場合は第１支持部２２ｂが、第２取付け孔５ｄに挿入されている場合は第２支持部２２ｃが、背板５の後面に当接するとともに、後壁１６ａが背板５の前面に当接することにより、フック部２２が背板５に引っ掛かった状態で、展示台１２が取り付けられている。また、展示台１２の商品サンプルＳが載置される載置面１７ａは、第１突起部２２ｂを当接させたときにはほぼ水平な状態に、第２突起部２２ｃを当接させたときには背板５から上方に傾斜した状態になる。
【００３３】
したがって、ユーザが商品を購入するために自動販売機１に向かい合ったときに、ユーザの目の高さとほぼ同じ高さに配置される上側の２段の商品サンプルＳについては、載置面１７ａがほぼ水平に、ユーザの目の高さよりも下方に配置される商品サンプルＳについては載置面１７ａが、ユーザに向かって上方に傾斜するように、展示台１２が背板５に取り付けられていることにより、商品サンプルＳを、その正面がユーザの視線と正対するように展示することができる。これにより、商品サンプルＳが配置された高さに拘らず、商品をユーザにアピールすることができる。
【００３４】
また、下側の２段の各展示台１２を、載置面１７ａを傾斜させて取り付けたことにより、商品サンプルＳもまた傾斜するので、その分、商品サンプルＳを含めた上下方向の長さが短縮される。したがって、展示台１２を上下方向に並べるのに要する上下方向の長さもまた短縮されるので、より多くの展示台１２を配置でき、より多くの商品サンプルＳを展示することができる。また、背板５の取付け孔５ａ，５ｄのいずれに展示台１２を取り付けるかによって、共通の展示台１２を用いて、商品サンプルＳの展示角度を変更することができる。
【００３５】
また、左右の展示台１２，１２は、右側の展示台１２の左の側部から突出する連結部２５と、左側の展示台１２の右の側部の連結受け部２６とが、互いに係合した状態で、左右方向に並んでいる。連結受け部２６は、連結部２５と相補的な形状を有していることにより、両者２５，２６を互いに重ね合わせて係合させるだけで、展示台１２，１２同士を、互いに位置決めされた状態で容易に連結することができる。また、展示台１２，１２同士を連結するだけで、これらにそれぞれ展示された商品サンプルＳ同士もまた、互いに位置決めされる。したがって、互いに正確な位置に配置された商品サンプルＳによって商品をアピールすることができる。また、展示台１２および商品サンプルＳの取り付け作業を容易に行うことができるので、展示装置１０のメンテナンス性を向上させることができる。
【００３６】
また、発光ダイオード３７からの光は、これに対向するように配置された透明な展示台１２の光導入部２３から導入され、前板１８内へと導かれる。前板１８の内部に導入された光は、上述したように、外部との境界において、一部が反射されながら内部を進行し、残りのものは屈折して外部に放射される。前板１８内部の光は、このような部分的な反射を繰り返すことにより、減衰しながら前板１８内部を進行する。このとき、外部に放射された光により、ユーザには、前板１８自体が発光しているように認識され、それにより、この前板１８の後方に配置された商品サンプルＳが強調されることによって、その商品サンプルＳが示す商品の購入を促すことができる。
【００３７】
また、前板１８が板状であることにより、これを正面から見たときに、ユーザには、特に外縁部がより強く発光しているかのように認識され、前板１８が光で縁取られているような印象的なものに見える。それにより、対応する商品サンプルＳを効果的に強調することができ、商品の販売をより促進することができる。さらに、内部に導入された光は、前板１８のみが発光しているかのように見せるだけであり、商品サンプルＳ自体を直接、照明するものではないので、商品サンプルＳと実際の商品の印象を、大きく相違させることなく販売することができる。
【００３８】
また、前板１８が商品情報表示板２０ａを有していることにより、前板１８内に導入された光が放射されるのに併せて、これに表示された商品の宣伝文などの商品情報も強調される。それにより、商品の購入を、ユーザにより効果的に促すことができる。
【００３９】
また、前板１８が着脱自在に構成されていることにより、例えば商品の交換に伴い、一部の商品サンプルＳを交換する場合、前板１８もまた、交換する商品サンプルＳに対応する一部のものを交換するだけでよい。したがって、販売される商品の品目が頻繁に入れ替わるような場合でも、展示台１２全体を交換する必要がないので、商品の変更に容易に対応することができる。
【００４０】
また、前板１８は、展示台本体１３の基部１６との間に前後方向に間隔を存して配置されており、両者１８，１６の間に商品サンプルＳが設置されている。基部１６と前板１８との間の間隔は、商品サンプルＳの前後方向の長さに応じて設定されており、これにより、商品サンプルＳは、基部１６と前板１８の間に大きな隙間なく設置される。すなわち、この前板１８は、商品サンプルＳのホルダとしても機能するので、商品サンプルＳを展示台本体１３に安定した状態で保持することができる。
【００４１】
また、発光ダイオード３７からの光が、光導入部２３に導入される際、および前板１８の後面から導入される際、両者２３，１８に微細な凹凸が形成されていることにより、光の屈折角度が不規則に変化することによって、光が散乱する。これにより、前板１８が全体的に発光しているように見せることができるので、これをさらに印象的なものにすることができ、対応する商品サンプルＳを、より効果的に強調することができる。
【００４２】
また、発光ダイオード３７からの光は、カラーフィルム２０ｂ，２４が、前板１８の前面および光導入部２３の後面にそれぞれ配置されていることにより、発光ダイオード３７からの光は、これらを透過することによって変色する。したがって、両カラーフィルム２０ｂ，２４の色に応じて、ユーザが認識する前板１８の発光色を変化させることができるので、商品サンプルＳが変更された場合でも、カラーフィルム２０ｂおよび２４を、異なる色のものに取り替えるだけで、変更された商品サンプルＳを、これに適した色の光で強調することができる。また、２つのカラーフィルム２０ｂ，２４の色を、互いに異ならせることにより、両カラーフィルム２０ｂ，２４の色に応じて、より多彩な色の光を前板１８から放射させることができる。
【００４３】
また、照明装置１５の発光ダイオード３７を含む基板３６が、基板取付け台３５に対し着脱自在に構成されており、基板取付け台３５もまた、展示台本体１３に対し着脱自在に構成されていることにより、故障などによって発光ダイオード３７の交換が必要になった場合や、商品の変更に伴い商品サンプルＳを変更し、発光ダイオード３７をこれに適した異なるものに交換する場合などに、発光ダイオード３７を基板３６とともに容易に交換することができる。
【００４４】
また、発光ダイオード３７は、これに接続された制御装置によって、点滅が制御され、前板１８は、発光ダイオード３７の発光により、前板１８自体が発光しているかのように見えるものであるため、発光ダイオード３７の点滅によって、より効果的に商品をユーザにアピールすることができ、商品の購入を、ユーザにより強く促すことができる。
【００４５】
さらに、一般に知られているように、発光ダイオードは低消費電力かつ長寿命のものである。したがって、これを用いて前板１８を照明していることにより、照明装置１５の故障頻度を低減させることができ、展示装置１０のメンテナンス性を高めることができる。
【００４６】
なお、本発明は、上述した実施形態に限定されることなく、種々の態様で実施することができる。例えば、実施形態では、フック部２２の第１突起部２２ｂを、背板５の後面に当接させることにより、展示台１２を、その載置面１７ａがほぼ水平な状態で取り付けているが、これに限定されることなく、第１突起部２２ｂを、より後方に配置することによって、展示台１２を、その載置面１７ａが、背板５から下方に傾斜する状態で取り付けてもよい。それにより、商品サンプルＳは、前方に傾斜した状態で載置されるので、展示台１２が高い位置に配置されている場合でも、商品サンプルＳの正面をユーザの視線と正対させ、ユーザに商品をアピールすることができる。
【００４７】
また、実施形態では、フック部２２を、上方に屈曲させることによって背板５の後面に引っ掛けているが、これに限定されることなく、他の方向に屈曲させて引っ掛けてもよい。その他、本発明の趣旨の範囲内で、細部の構成を適宜、変更することが可能である。
【符号の説明】
【００４８】
１      自動販売機
５      背板
５ａ    取付け孔（第１取付け孔）
５ｄ    取付け孔（第２取付け孔）
１０      商品サンプル展示装置
１６ａ    後壁（当接部）
１２      商品サンプル展示台
１７ａ    商品サンプル載置面
２２      フック部
２２ｂ    第１突起部（第１支持部）
２２ｃ    第２突起部（第２支持部）
２５      連結部
２６      連結受け部
Ｓ      商品サンプル
【図１】
2005228266.tif 000003
【図２】
2005228266.tif 000004
【図３】
2005228266.tif 000005
【図４】
2005228266.tif 000006
【図５】
2005228266.tif 000007
【図６】
2005228266.tif 000008
【図７】
2005228266.tif 000009
【図８】
2005228266.tif 000010
【図９】
2005228266.tif 000011
【図１０】
2005228266.tif 000012